(57)【要約】【課題】待機状態における電力消費を低減し、かつ、スイッチ操作をすることなく使用できる美容器具を提供する。【解決手段】互いに離間して配置された第１電極１１及び第２電極１２と、これらの電極の間に電圧を印加可能に構成された制御部３とを有する美容器具１である。制御部３は、両電極と人体との接触状態に応じてメイン動作の制御を行うよう構成されている。美容器具１は、両電極の間にパルス電圧を印加し、制御部３内における電気的特性値を測定する手段と、電気的特性値に基づいて、両電極が人体を介した電気的導通状態にあるか否かを判定する手段と、両電極が電気的導通状態にあると判定された場合に、メイン動作を開始させる手段とを有している。【選択図】図１
2014033950.tif 000002
【特許請求の範囲】
【請求項１】
互いに離間して配置された第１電極及び第２電極と、上記第１電極と上記第２電極との間に電圧を印加可能に構成された制御部とを有し、該制御部は、上記第１電極及び上記第２電極と人体との接触状態に応じてメイン動作の制御を行うよう構成された美容器具であって、
上記第１電極と上記第２電極との間にパルス電圧を印加し、上記制御部内における電気的特性値を測定する手段と、
上記電気的特性値に基づいて、上記第１電極と上記第２電極とが人体を介した電気的導通状態にあるか否かを判定する手段と、
上記第１電極と上記第２電極とが上記電気的導通状態にあると判定された場合に、上記メイン動作を開始させる手段とを有していることを特徴とする美容器具。
【請求項２】
請求項１に記載の美容器具において、上記制御部はディレイタイマーを有しており、上記第１電極と上記第２電極とが上記電気的導通状態にないと判定された場合には、上記ディレイタイマーにより所定時間の経過を待った後、再び上記電気的特性値の測定と上記判定とを実施するよう構成されていることを特徴とする美容器具。
【請求項３】
請求項２に記載の美容器具において、上記ディレイタイマーにより経過させる上記所定時間は、５０〜１０００ミリ秒に設定されていることを特徴とする美容器具。
【請求項４】
請求項１〜３のいずれか１項に記載の美容器具において、上記制御部は、人体に流れる電流を取り込み可能に構成された還流部を有しており、かつ、上記電気的特性値として接地電位に対する上記還流部内の電位差を測定し、該電位差が所定の閾値以上の場合に上記第１電極と上記第２電極とが上記電気的導通状態にあると判定するよう構成されていることを特徴とする美容器具。
【請求項５】
請求項１〜４のいずれか１項に記載の美容器具において、上記メイン動作は、上記第１電極と上記第２電極との間に電圧を印加する動作を含むことを特徴とする美容器具。
【請求項６】
請求項１〜５のいずれか１項に記載の美容器具において、該美容器具は、人体肌上に塗布された電荷を有する美容成分を、上記第１電極と上記第２電極との間の電位差により肌内部に浸透させるイオン導入器であることを特徴とする美容器具。
【発明の詳細な説明】
【技術分野】
【０００１】
本発明は、美容器具に関する。
【背景技術】
【０００２】
化粧品等に含有される美容成分の肌への浸透量を増大させるために用いられる器具として、例えば、特許文献１には、患部に電流を出力する電極部を有し、該電極部からパルス状の電流を流すよう構成されたイオン導入器が開示されている。このイオン導入器は、電極部から肌へ一方極性の電流を通電し、電荷を帯びた美容成分を肌内部へ向けて移動させる。これにより、美容成分の肌内部への浸透量を増加させ、美容効果をより向上させようとするものである。
【０００３】
また、特許文献２には、金属製のプローブヘッドの内側に超音波振動子を設け、プローブヘッドと皮膚とが接触していない場合に超音波振動子の動作を停止させるよう構成された超音波美容器が開示されている。この超音波美容器は、美容成分を塗布した肌にプローブヘッドを接触させ、超音波振動をあたえることにより美容成分の浸透量を増大させようとするものである。
【０００４】
また、上記超音波振動器は、プローブヘッドと皮膚との接触状態に応じて変化する静電容量を検出して超音波振動子の動作を制御することにより、超音波振動子の駆動に伴う電力消費を低減しようとするものである。
【先行技術文献】
【特許文献】
【０００５】
【特許文献１】特開２００５−２３７５４５号公報
【特許文献２】特開２００１−９５８７５号公報
【発明の概要】
【発明が解決しようとする課題】
【０００６】
ところで、特許文献１のイオン導入器は、スイッチ操作により美容効果を発揮させるメイン動作の作動状態と停止状態とを切り替えるよう構成されている。そのため、美容器具を使用する際及び使用後にスイッチを操作する必要があり、使用者にとって利便性が低い。
【０００７】
一方、特許文献２に記載の超音波美容器は、プローブヘッドが皮膚に接触していないときに超音波振動子が作動しないよう構成されており、メイン動作の作動状態と停止状態との切り替えのためにスイッチを操作する必要はない。しかしながら、上記超音波美顔器では、プローブヘッドと皮膚との接触状態を検出する静電容量検出回路が常時通電されている。そのため、超音波振動子が作動していない待機状態においても比較的多くの電力が消費される。
【０００８】
本発明は、上記の背景に鑑みてなされたもので、待機状態における電力消費を低減し、かつ、スイッチ操作をすることなく使用できる美容器具を提供しようとするものである。
【課題を解決するための手段】
【０００９】
本発明の一態様は、互いに離間して配置された第１電極及び第２電極と、上記第１電極と上記第２電極との間に電圧を印加可能に構成された制御部とを有し、該制御部は、上記第１電極及び上記第２電極と人体との接触状態に応じてメイン動作の制御を行うよう構成された美容器具であって、
上記第１電極と上記第２電極との間にパルス電圧を印加し、上記制御部内における電気的特性値を測定する手段と、
上記電気的特性値に基づいて、上記第１電極と上記第２電極とが人体を介した電気的導通状態にあるか否かを判定する手段と、
上記第１電極と上記第２電極とが上記電気的導通状態にあると判定された場合に、上記メイン動作を開始させる手段とを有していることを特徴とする美容器具にある（請求項１）。
【発明の効果】
【００１０】
上記美容器具は、上記第１電極と上記第２電極との間にパルス電圧を印加し、上記制御部内における電気的特性値を測定する手段を有している。これにより、上記美容器具が待機状態、つまり上記メイン動作が停止している状態にある場合等に、一定の電流を流し続ける場合と比べて上記電気的特性値の測定時に消費する電力を低減することができる。
【００１１】
また、上記美容器具は、上記第１電極と上記第２電極とが上記電気的導通状態にあると判定された場合に、上記メイン動作を開始させる手段を有している。これにより、上記美容器具は、別途スイッチ操作を必要とすることなく、上記第１電極と上記第２電極との両方が人体と接触することを契機として上記メイン動作を開始させることができる。その結果、上記メイン動作の作動と停止との切り替えのためのスイッチを上記美容器具に設ける必要がない。そして、使用者がスイッチ操作をする必要がなくなるため、上記美容器具は使用者にとって使用しやすいものとなる。また、上記美容器具にスイッチを配設する必要がなくなることは、部品点数の低減効果を得ることもできる。
【００１２】
以上のように、上記態様によれば、待機状態における電力消費を低減し、かつ、スイッチ操作をすることなく使用できる美容器具を提供することができる。
【図面の簡単な説明】
【００１３】
【図１】実施例における、美容器具の制御部のブロック図。
【図２】実施例における、美容器具の動作を説明するフローチャート。
【図３】実施例における、メイン動作中の肌検知機能の動作を説明するフローチャート。
【図４】実施例における、美容器具が電気的導通状態にある場合に、ステップＳ５において抵抗器の両端間に生じる電位差の波形図。
【図５】実施例における美容器具がメイン動作を実施している場合に、人体肌に流れる電流の波形図。
【図６】実施例における、美容器具の斜視図。
【図７】実施例における、美容器具を第１電極側（下方）から見た平面図。
【図８】実施例における、美容器具を第２電極側（上方）から見た平面図。
【発明を実施するための形態】
【００１４】
上記美容器具において、電気的導通状態とは、上記第１電極及び上記第２電極の双方が人体肌と接触し、上記第１電極と上記第２電極との間に人体を介して電流が流れ得る状態をいう。
【００１５】
また、上記制御部はディレイタイマーを有しており、上記第１電極と上記第２電極とが上記電気的導通状態にないと判定された場合には、上記ディレイタイマーにより所定時間の経過を待った後、再び上記電気的特性値の測定と上記判定とを実施するよう構成されていてもよい（請求項２）。この場合には、上記電気的特性値の測定と上記判定とを実行する頻度を低減することができる。その結果、上記美容器具は、待機状態、つまり上記第１電極と上記第２電極とが上記電気的導通状態にない状態における消費電力を低減することができる。
【００１６】
また、上記ディレイタイマーにより経過させる上記所定時間は、５０〜１０００ミリ秒に設定されていることが好ましい（請求項３）。この場合には、上記電気的特性値の測定と上記判定とを実行する頻度を、これらの実行による消費電力の低減と、上記第１電極及び上記第２電極の双方と人体とが接触してから上記制御部が上記電気的導通状態を検出するまでの時間差の短縮との双方を考慮した適切な範囲とすることができる。
【００１７】
すなわち、上記所定時間が５０ミリ秒未満の場合には、上記電気的特性値の測定と上記判定とを実行する頻度が過度に大きくなる。その結果、待機状態における美容器具の電力消費が増大するおそれがある。このように、消費電力の低減の観点からは、上記所定時間は５０ミリ秒以上が好ましい。
【００１８】
また、上記所定時間が１０００ミリ秒を超える場合には、上記測定及び上記判定を実行する頻度が過度に小さくなる。そのため、上記第１電極及び上記第２電極の双方と人体とが接触してから上記測定及び上記判定を実行するまでの時間差が大きくなるおそれがある。その結果、上記の両電極と人体とが接触してから上記電気的導通状態が検出されて上記メイン動作が開始されるまでの時間差が大きくなり、上記美容器具は使用しにくいものとなる。このように、利便性の観点からは、上記所定時間は１０００ミリ秒以下が好ましい。
【００１９】
以上のように、上記所定時間は、消費電力低減と利便性の双方の観点から、５０ミリ秒以上１０００ミリ秒以下が好ましい。
【００２０】
上記美容器具において、上記制御部は、人体に流れる電流を取り込み可能に構成された還流部を有しており、かつ、上記電気的特性値として接地電位に対する上記還流部内の電位差を測定し、該電位差が所定の閾値以上の場合に上記第１電極と上記第２電極とが上記電気的導通状態にあると判定するよう構成することができる（請求項４）。
【００２１】
上記制御部は、第１電極及び第２電極と人体が接触しているか否かで回路の構成が変化する。そのため、上記電気的特性値を測定する部位は、両電極の接触状態に応じて上記パルス電圧に対する応答が比較的大きく変化する部位であることが好ましい。この中でも、上記還流部は、両電極と人体とが接触している場合には上記パルス電圧に応じて電位差が生じ、接触していない場合には電位差が生じないため、電気的特性値の測定部位として好適である。従って、上記電気的特性値として接地電位に対する上記還流部内の電位差を測定することにより、上記美容器具は、電気的導通状態の判定精度を向上させることができる。また、上記電気的特性値として電位差を用いるため、該電位差と上記所定の閾値との比較を行う電気回路を比較的簡単な構成にすることができる。その結果、上記美容器具の生産コストを容易に低減することができる。
【００２２】
また、上記メイン動作は、上記第１電極と上記第２電極との間に電圧を印加する動作を含んでいることが好ましい（請求項５）。この場合には、上記メイン動作において印加される電圧が、上記第１電極と上記第２電極とを介して人体に作用する。つまり、この場合には、上記第１電極と上記第２電極とは、上記メイン動作の作用電極としても機能することができる。そのため、上記美容器具の部品点数を低減でき、製造しやすいものとなる。
【００２３】
また、上記美容器具は、人体肌上に塗布された電荷を有する美容成分を、上記第１電極と上記第２電極との間の電位差により肌内部に浸透させるイオン導入器であることが好ましい（請求項５）。イオン導入器は、人体を介して配された２つの電極の間に電位差を印加する装置である。そのため、上記美容器具をイオン導入器として構成する場合には、上述のように、上記第１電極と上記第２電極とをイオン導入のための作用電極としても機能させることができる。なお、上記美容器具はイオン導入器に限定されることはなく、例えば人体肌に超音波振動を与える超音波美容器や、ＥＭＳ（Eletro  Muscle  Stimulation）装置やマイクロカレント美容器、光照射美容器、エレクトロポレーション美容器、ＲＦ（Radio  Freqency）美容器やイオン導出器等の種々の美容器として構成することも可能である。
【実施例】
【００２４】
上記美容器具の実施例について、図１〜図８を用いて説明する。美容器具１は、図６〜図８に示すように、互いに離間して配置された第１電極１１及び第２電極１２と、図１に示す第１電極１１と第２電極１２との間に電圧を印加可能に構成された制御部３とを有している。そして、制御部３は、図２に示すように、第１電極１１及び第２電極１２と人体との接触状態に応じてメイン動作（ステップＳ７〜Ｓ１１）の制御を行うよう構成されている。
【００２５】
美容器具１は、第１電極１１及び第２電極１２と人体との接触状態を検出する手段として、以下の３つの手段を有している。即ち、第１電極１１と第２電極１２との間にパルス電圧を印加し、制御部３内における電気的特性値を測定する手段と、電気的特性値に基づいて、第１電極１１と第２電極１２とが人体を介した電気的導通状態にあるか否かを判定する手段と、第１電極１１と第２電極１２とが電気的導通状態にあると判定された場合に、メイン動作を開始させる手段とを有している。また、図２に示すように、第１電極１１と第２電極１２とが電気的導通状態にないと判定された場合には、ディレイタイマー３０３により所定時間の経過を待った後、再び電気的特性値の測定と判定とを実施するよう構成されている。
【００２６】
図６〜図８に示すように、美容器具１は、略棒状の本体部１０を有しており、本体部１０の側周面に第１電極１１と第２電極１２とを有している。第１電極１１は、図７に示すように、本体部１０の長手方向の一端に配設されている。第２電極１２は、図８に示すように、本体部１０の長手方向の他端に配設されている。また、第１電極１１と第２電極１２とは、本体部１０の長手方向から見て、本体部１０を挟んで互いに反対側となる位置に配されている。なお、以下において、本体部１０の長手方向における第１電極１１が設けられた側を前方といい、第２電極１２が設けられた側を後方ということがある。また、美容器具１を前後方向から見たときの第１電極１１側を下方とし、第２電極１２側を上方ということがある。これらの方向表示は便宜上のものであり、美容器具１の使用時における実際の向きとは何ら関係がない。
【００２７】
また、本体部１０は、制御部３と、制御部３に電力を供給する電源部２と、ＬＥＤインジケータ１４と、振動モータ１５とを内蔵している。ＬＥＤインジケータ１４は、図８に示すように、本体部１０の前後方向における略中央部に配されており、上方に向けて発光可能に構成されている。また、振動モータ１５は、本体部１０の内部において、第１電極１１側（前方）の端部に配置されている（図示略）。
【００２８】
また、本例の美容器具１は、磁力により吸着され得るよう構成され、人体肌に塗布された美容剤を肌表面から吸着除去するための吸着ヘッド部１３を付加機能として有している。吸着ヘッド部１３は、図７に示すように、美容器具１の後方端部に配設されている。吸着ヘッド部１３は、図６及び図７に示すように、下方に膨出した膨出部１３１を有している。また、吸着ヘッド部１３は、膨出部１３１の頂面、つまり第２電極１２の反対側（下方）に、平坦面よりなり、磁力を発生する磁力発生面１３０を備えている。
【００２９】
以下、美容器具１の各部の間の電気的接続について図１を用いて詳説する。電源部２は、制御部３内の制御用マイコン３０及び電圧印加部３１と、ＬＥＤインジケータ１４と、振動モータ１５とのそれぞれに接続されており、これらの各部に対して作動用電力を供給している。
【００３０】
制御部３は、図１に示すように、電源部２、第１電極１１、第２電極１２、ＬＥＤインジケータ１４及び振動モータ１５とそれぞれ接続されており、これらの各部の動作を制御可能に構成されている。また、制御部３は、制御用マイコン３０と、電圧印加部３１と、還流部３２とを有している。制御用マイコン３０は、各部の動作を制御する信号を入出力する機能を有する。電圧印加部３１は、第１電極１１と第２電極１２との間に電圧を印加する機能を有する。還流部３２は、第１電極１１または第２電極１２から人体に流れる電流を取り込み、電源部２へ還流させる機能を有する。
【００３１】
制御用マイコン３０と電圧印加部３１との間は、後述する電圧制御信号及び電流値選択信号を伝達できるよう互いに接続されている。還流部３２は、電圧印加部３１と、電源部２のマイナス極へ接続されている接地部３１２との間に配されている。また、還流部３２は制御用マイコン３０の後述するＡＤＣ（Analog  to  Digital  Converter）３００に接続されている。これにより、制御部３は、還流部３２内の電位差を制御用マイコン３０に入力できるよう構成されている。
【００３２】
制御用マイコン３０は、ＡＤＣ３００と、演算部３０１と、信号出力部３０２と、ディレイタイマー３０３とを有している。ＡＤＣ３００は、還流部３２内の電位差をデジタル化する機能を有している。演算部３０１は、第１電極１１と第２電極１２とが電気的導通状態、つまり第１電極１１と第２電極１２とが人体を介して電気的に導通している状態にあるか否かを判定する機能を有している。信号出力部３０２は、第１電極１１または第２電極１２から美容効果を得たい肌表面に流す電流を制御する機能を有している。
【００３３】
ＡＤＣ３００は、制御部３の還流部３２と接続されており、接地部３１２の電位（以下、接地部３１２の電位を「接地電位」という）に対する還流部３２の電位差をデジタル化するよう構成されている。ＡＤＣ３００によりデジタル化された上記電位差の値は、制御用マイコン３０内において演算部３０１へ伝達される。
【００３４】
演算部３０１は、ＡＤＣ３００より入力された上記電位差の値を所定の閾値と比較する。そして、演算部３０１は、上記電位差の値が上記所定の閾値未満である場合に第１電極１１と第２電極１２とが電気的導通状態にないと判定し、上記電位差の値が上記所定の閾値以上である場合に第１電極１１と第２電極１２とが電気的導通状態にあると判定するよう構成されている。また、演算部３０１は、上記判定の結果と、図２及び図３に示す予め設定された動作フローとの双方に基づいて信号出力部３０２から出力する信号を制御可能に構成されている。なお、上記動作フローの詳細については後述する。
【００３５】
信号出力部３０２は、図１に示すように、演算部３０１からの制御信号を受けて、電圧印加部３１に対して電圧制御信号及び電流値選択信号を出力するよう構成されている。電圧制御信号は、電圧印加部３１における後述する極性反転回路３１０に入力され、第１電極１１と第２電極１２との間に印加する電圧のオンオフ及び極性を制御する。また、電流値選択信号は、電圧印加部３１における後述する定電流回路３１１に入力され、第１電極１１と第２電極１２との間に流れる電流値を制御する。
【００３６】
また、信号出力部３０２は、ＬＥＤインジケータ１４及び振動モータ１５とも各々接続されている。信号出力部３０２は、演算部３０１における上記判定の結果、第１電極１１と第２電極１２とが電気的導通状態にあると判定された場合に、ＬＥＤインジケータ１４及び振動モータ１５のそれぞれを駆動させる駆動信号を出力するよう構成されている。
【００３７】
ディレイタイマー３０３は、演算部３０１における上記判定の結果、第１電極１１と第２電極１２とが電気的導通状態にないと判定された場合に、演算部３０１により起動される。ディレイタイマー３０３は、演算部３０１の動作を所定の時間停止させる機能を有する。これにより、美容器具１は、ディレイタイマー３０３が起動してから上記所定の時間が経過するまでの間、演算部３０１の動作停止に伴って各部の動作が停止される。また、ディレイタイマー３０３は、上記所定の時間が経過した後に演算部３０１の動作を再開させるよう構成されている。
【００３８】
電圧印加部３１は、極性反転回路３１０と定電流回路３１１を有しており、両者が互いに接続されて構成されている。極性反転回路３１０は、制御用マイコン３０の信号出力部３０２と互いに接続されている。また、極性反転回路３１０は、第１電極１１と第２電極１２との各々と接続されている。これにより、極性反転回路３１０は、信号出力部３０２から出力される電圧制御信号に基づいて第１電極１１と第２電極１２との間の電位差を制御可能に構成されている。
【００３９】
定電流回路３１１は、第１電極１１と第２電極１２との間に流れる電流を一定値に保つ機能を有する。また、定電流回路３１１は、制御用マイコン３０の信号出力部３０２と互いに接続されている。そして、定電流回路３１１は、信号出力部３０２から出力される電流値選択信号に基づいて第１電極１１と第２電極１２との間に流れる電流を２段階に設定可能に構成されている。本例では、この電流の大きさは、イオン導入レベルと、イオン導入レベルよりも電流値の小さいスキンケアレベルとの２段階に設定されている。なお、イオン導入レベルは、後述するイオン導入ステップＳ８及びリセットパルスステップＳ９の実行中に適用され、スキンケアレベルはスキンケアステップＳ１１の実行中に適用される。
【００４０】
還流部３２は、定電流回路３１１と接地部３１２との間に接続された抵抗器３２０を有している。これにより、電圧印加部３１側から取り込まれた電流は、抵抗器３２０内を接地部３１２側へ向かって流れ、接地部３１２を介して電源部２のマイナス極へ還流される。また、還流部３２における電圧印加部３１と抵抗器３２０との間は、制御用マイコン３０のＡＤＣ３００と接続されている。これにより、ＡＤＣ３００は、電圧印加部３１と抵抗器３２０との間の点の接地電位に対する電位差が入力されるよう構成されている。
【００４１】
次に、美容器具１の動作フローについて図２及び図３を用いて説明する。美容器具１は、電源部２より電源が供給されると、図２に示すように、制御用マイコン３０を初期化するステップＳ１を行う。このとき、制御用マイコン３０は、定電流回路３１１に対して電流値選択信号を出力し、電流値をイオン導入レベルに設定する。
【００４２】
その後、制御用マイコン３０は、ステップＳ２〜Ｓ６よりなる待機状態の動作を開始する。待機状態において、制御用マイコン３０は、ディレイタイマー３０３により上記所定の時間の経過を待つステップＳ２を行う。なお、本例のディレイタイマー３０３は、上記所定の時間を５０〜１０００ミリ秒の範囲で適宜設定することができる。
【００４３】
制御用マイコン３０は、ステップＳ２に次いで、電源部２から電圧印加部３１に作動用電力を供給するステップＳ３を行うとともに、信号出力部３０２から電圧制御信号を出力する。これにより、制御用マイコン３０は、第２電極１２に対して第１電極１１が低電位となるように両電極間の電位差を制御しつつ、両電極間にパルス電圧を１回印加する。このようにして第１電極１１と第２電極１２との間にパルス電圧が１回印加されるステップＳ４が実施される。本例において、ステップＳ４におけるパルス電圧の値は、５Ｖとした。
【００４４】
続いて、図２に示すように、還流部３２における電位差を測定するステップＳ５が実施される。ステップＳ５において、第１電極１１と第２電極１２との双方と肌とが接触している場合には、第２電極１２から人体を介して第１電極１１に上記パルス電圧によるパルス電流が流れる。当該パルス電流は、第１電極１１から制御部３内へ取り込まれ、図４に示す波形Ｆ１のように、還流部３２における抵抗器３２０の両端間に電位差を生じさせる。そして、抵抗器３２０の両端間に生じた電位差、すなわち接地電位を基準とした還流部３２内の電位差は、制御用マイコン３０のＡＤＣ３００に入力され、その値の測定が行われる。
【００４５】
一方、第１電極１１または第２電極１２の少なくとも一方が肌と接触していない場合には、上記パルス電圧を印加しても抵抗器３２０に電流が流れず、抵抗器３２０の両端間に電位差が発生しない。そのため、第１電極１１または第２電極１２の少なくとも一方が肌と接触していない場合には、電位差の値は０Ｖとなる。
【００４６】
その後、制御用マイコン３０は、演算部３０１における上記電位差と所定の閾値Ｌ（図４参照）との比較結果に基づいて第１電極１１と第２電極１２とが電気的導通状態にあるか否かを判定するステップＳ６を行う。ステップＳ５において測定した電位差が閾値Ｌ未満となる場合には、制御用マイコン３０は、第１電極１１または第２電極１２の少なくとも一方が人体と接触しておらず、第１電極１１と第２電極１２とが電気的導通状態にないと判定する（ステップＳ６、「Ｎｏ」）。この場合、制御用マイコン３０は、ステップＳ２に戻ってディレイタイマー３０３を起動する。そして、制御用マイコン３０は、ステップＳ６において第１電極１１と第２電極１２とが電気的導通状態にないと判定されている間は、待機状態の動作（ステップＳ２〜ステップＳ６）を繰り返す。なお、本例においては、閾値Ｌは５０〜２００ｍＶの間で適宜設定することができる。
【００４７】
一方、図４に示すように、ステップＳ６において接地電位を基準とした還流部３２内の電位差が閾値Ｌ以上となる場合、制御用マイコン３０は、第１電極１１及び第２電極１２の双方が人体と接触しており、第１電極１１と第２電極１２とが電気的導通状態にあると判定する（ステップＳ６、「Ｙｅｓ」）。この場合、制御用マイコン３０は、美容効果を発揮させるためのメイン動作（ステップＳ７〜Ｓ１１）を開始する。
【００４８】
本例の美容器具１は、人体肌上に塗布された電荷を有する美容成分を、第１電極１１と第２電極１２との間の電位差により肌内部に浸透させるイオン導入器として構成されている。即ち、美容器具１のメイン動作は、第１電極１１と第２電極１２との間に電位差を発生させる動作を含んでいる。そして、美容器具１は、人体肌上に塗布された電荷を有する美容成分を上記電位差により肌内部に浸透させるよう構成されている。また、本例の美容器具１におけるメイン動作は、図３に示すように、ＬＥＤインジケータ１４の点滅及び振動モータ１５の駆動を含んでいる。
【００４９】
以下、美容器具１のメイン動作について詳説する。図２に示すように、第１電極１１と第２電極１２とが電気的導通状態にあると判定された場合（ステップＳ６、「Ｙｅｓ」）、制御用マイコン３０は、定電流回路３１１に対して電流値選択信号を出力し、電流値をイオン導入レベルに設定するステップＳ７を行う。そして、制御用マイコン３０は、第１電極１１から肌にイオン導入電流を流すように電圧印加部３１へ電圧制御信号を送る。
【００５０】
イオン導入電流は、図２及び図５に示すように、第１電極１１と肌との接触部へ一方極性の電流Ｆ２を流すイオン導入ステップＳ８と、上記接触部へ他方極性のパルス電流Ｆ３を流すリセットパルスステップＳ９と、上記接触部へ極性が交互に入れ替わる電流Ｆ４を流すスキンケアステップＳ１１とを順次繰り返すように構成されている。これにより、肌に流れるイオン導入電流の波形は、図５に示す基本波形Ｆ２〜Ｆ４が繰り返されるものとなる。
【００５１】
また、制御用マイコン３０は、イオン導入電流が肌に流れている間、信号出力部３０２からＬＥＤインジケータ１４及び振動モータ１５に駆動信号を出力する（図３、ステップＴ１）。これにより、ＬＥＤインジケータ１４及び振動モータ１５は第１電極１１及び第２電極１２の双方と人体とが接触している間駆動される。
【００５２】
より詳細には、イオン導入ステップＳ８において、制御用マイコン３０は、第２電極１２に対して第１電極１１が低電位となるように両電極間の電位差を制御しつつ、両電極間にパルス電圧を複数回印加する。これにより、第１電極１１は、図５に示す基本波形Ｆ２のように、肌に負極性のパルス電流を複数回流すことができる。
【００５３】
リセットパルスステップＳ９において、制御用マイコン３０は、第２電極１２に対して第１電極１１が高電位となるように両電極間の電位差を制御しつつ、両電極間にパルス電圧を１回印加する。これにより、第１電極１１は、図５に示す基本波形Ｆ３のように、肌に正極性のパルス電流を流すことができる。
【００５４】
また、リセットパルスステップＳ９の後、制御用マイコン３０は、定電流回路３１１に対して電流値選択信号を出力し、電流値をスキンケアレベルに設定するステップＳ１０を行う。
【００５５】
制御用マイコン３０は、ステップＳ１０を実施した後、スキンケアステップＳ１１を実施する。スキンケアステップＳ１１において、制御用マイコン３０は、第２電極１２に対する第１電極１１の電位差の高低が交互に入れ替わる矩形波を両電極の間に印加する。これにより、第１電極１１は、図５に示す基本波形Ｆ４のように、正極性と負極性とが交互に入れ替わる矩形波電流を肌に流すことができる。
【００５６】
また、図３に示すように、制御用マイコン３０は、メイン動作と並行して、メイン動作中に人体肌に流れるパルス電流を用いて第１電極１１及び第２電極１２と人体との接触状態の判定を行う肌検知機能を有している。つまり、制御用マイコン３０は、イオン導入ステップＳ８、リセットパルスステップＳ９及びスキンケアステップＳ１１において人体肌に流れるパルス電流を用いて、ステップＳ５と同様に、当該パルス電流に起因して発生する接地電位に対する還流部３２の電位差の測定Ｔ２を行う。
【００５７】
そして、制御用マイコン３０は、図３に示すように、上述した還流部３２の電位差測定の結果に基づいて第１電極１１と第２電極１２とが電気的導通状態にあるか否かを判定するステップＴ３を行う。ステップＴ３における第１電極１１及び第２電極１２と人体との接触状態の判定は、１つのパルス電流に対する電位差測定の結果に基づいて行ってもよく、複数のパルス電流に対する電位差測定の結果を総合して行ってもよい。また、上述した接触状態の判定に用いるパルス電流は、イオン導入ステップＳ８、リセットパルスステップＳ９及びスキンケアステップＳ１１の各ステップにおけるパルス電流から適宜選択することができる。
【００５８】
例えば本例では、ステップＴ３における接触状態の判定は、リセットパルスステップＳ９におけるパルス電流（図５、Ｆ３）に起因する抵抗器３２０の両端間の電位差が閾値Ｌを所定の回数連続して下回るか否かを基準として実施される。つまり、本例の制御用マイコン３０は、パルス電流Ｆ３に起因する電位差が所定の回数連続して閾値Ｌ未満となる場合（ステップＴ３、「Ｙｅｓ」）には、第１電極１１または第２電極１２の少なくとも一方が人体と接触しておらず、第１電極１１と第２電極１２とが電気的導通状態にないと判定する。この場合には、制御用マイコン３０はパルス電流の発生を停止するとともに、ＬＥＤインジケータ１４及び振動モータ１５への駆動信号の出力を停止する（ステップＴ４）。制御用マイコン３０は、ステップＴ４によりメイン動作を終了した後、図２に示すステップＳ２〜ステップＳ６を繰り返すよう構成されている。
【００５９】
一方、制御用マイコン３０は、上述した電位差が連続して閾値Ｌ未満となる回数が上記所定の回数に達しない間は（ステップＴ３、「Ｎｏ」）、第１電極１１及び第２電極１２の双方と人体とが接触しており、第１電極１１と第２電極１２とが電気的導通状態にあると判定する。制御用マイコン３０は、ステップＴ３において第１電極１１と第２電極１２とが電気的導通状態にあると判定されている間は、メイン動作、つまり図２に示すステップＳ７〜ステップＳ１１を繰り返して実行する。
【００６０】
次に、美容器具１の使用方法について説明する。使用者は、美容器具１を使用する前に、予め電荷を帯びた美容成分を肌に塗布しておく。なお、本例において、上記美容成分としては、Ｌ−アスコルビン酸−２−リン酸ナトリウムを使用した。
【００６１】
使用者は、第１電極１１が手から突出し、かつ、第２電極１２が手と接触するように本体部１０を把持する。そして、使用者は、このように美容器具１を把持した状態で第１電極１１を肌表面に接触させる。これにより、第１電極１１と肌との接触部に、図５に示す基本波形Ｆ２〜Ｆ４の繰り返しからなるイオン導入電流が流れる。なお、本例では、イオン導入ステップＳ８において、第１電極１１が陰極、第２電極１２が陽極として機能し、第１電極１１と接触している肌表面には負極性の電流が流れる。これにより、美容器具１は、陰イオンであるＬ−アスコルビン酸−２−リン酸イオンを肌内部へ浸透させることができる。
【００６２】
次に、美容器具１の作用効果について説明する。美容器具１は、第１電極１１と第２電極１２との間にパルス電圧を印加し、制御部３内における電気的特性値を測定する手段を有している。これにより、美容器具１は、一定の電流を流し続ける場合に比べて、電気的特性値の測定時に消費する電力を低減することができる。
【００６３】
また、美容器具１は、第１電極１１と第２電極１２とが電気的導通状態にあると判定された場合に、メイン動作を開始させる手段を有している。そのため、メイン動作の作動と停止との切り替えのためのスイッチを美容器具１に設ける必要がない。そして、使用者がスイッチ操作をする必要がなくなるため、美容器具１は使用者にとって使用しやすいものとなる。
【００６４】
また、美容器具１は、メイン動作に第１電極１１と第２電極１２との間に電圧を印加する動作を含むイオン導入器として構成されている。そのため、第１電極１１と第２電極１２とをイオン導入のための作用電極としても機能させることができる。その結果、美容器具１は、動作切り替えのためのスイッチやメイン動作を作用させるための部品等を別途設ける必要がなく、部品点数を削減することができる。
【００６５】
また、美容器具１は、第１電極１１と第２電極１２とが電気的導通状態にないと判定された場合には、ディレイタイマー３０３により所定時間の経過を待った後、再び電気的特性値の測定と判定とを実施するよう構成されている。これにより、電気的特性値の測定と判定とを実行する頻度を低減することができる。その結果、美容器具１は、待機状態、つまり第１電極１１と第２電極１２とが電気的導通状態にない状態における消費電力を低減することができる。
【００６６】
また、制御部３は、人体に流れる電流を取り込み可能に構成された還流部３２を有しており、かつ、電気的特性値として接地電位を基準とした還流部３２内の電位差を測定し、該電位差が所定の閾値以上の場合に第１電極１１と第２電極１２とが電気的導通状態にあると判定するよう構成されている。そのため、制御部３は、上述のように電気的導通状態の判定精度を向上させることができるとともに、回路構成を簡素化することが容易なものとなる。
【００６７】
また、ディレイタイマー３０３により経過させる所定時間は、５０〜１０００ミリ秒に設定されている。そのため、上述のように、美容器具１における電気的特性値の測定と判定とを実行する頻度は、消費電力低減と、利便性との双方を考慮した適切な範囲となる。
【００６８】
また、本例の美容器具１は、人体肌上に塗布された電荷を有する美容成分を、第１電極１１と第２電極１２との間の電位差により肌内部に浸透させるイオン導入器として構成されている。そして、メイン動作は、第１電極１１と第２電極１２との間に電圧を印加する動作を含んでいる。
【００６９】
また、美容器具１はＬＥＤインジケータ１４及び振動モータ１５を備えており、メイン動作中にこれらが駆動されるよう構成されている。そのため、使用者は、振動モータ１５の振動やＬＥＤインジケータ１４の点灯等により、メイン動作が実施されていることを容易に確認することができる。その結果、美容器具１は使用者にとって使用しやすいものとなる。
【００７０】
また、本例において、第１電極１１と第２電極１２とは、図６〜図８に示すように、上下方向において互いに反対側に位置するように配置されている。そのため、美容器具１は、机上等に載置する際に、第１電極１１と第２電極１２とが載置面を介して導通する可能性を低減でき、消費電力を低減しやすくなる。
【００７１】
以上のように、美容器具１は、待機状態における電力消費を低減し、かつ、スイッチ操作をすることなく使用できるものとなる。
【００７２】
なお、上記実施例において、美容器具１はイオン導入器として構成されているが、これ以外の機能を有する美容器具１として構成することも可能である。つまり、美容器具１のメイン動作に関わらず、待機状態において上記の制御が行われるよう構成されていれば、美容器具１は、上記実施例と同様の作用効果を奏することができる。例えば、美容器具１は、肌内部に存在する電荷を帯びた汚れや老廃物等を電位差によって肌表面へ移動させて除去するイオン導出器や、肌に超音波振動を与える超音波美顔器、肌に可視光線や遠赤外線等を照射する光照射美顔器、ＥＭＳ（Eletro  Muscle  Stimulation）装置、エレクトロポレーション美容器、ＲＦ美容器等の種々の態様に構成されていてもよい。
【００７３】
また、上記実施例では、第１電極１１と美容効果を得たい肌表面とを接触させ、第１電極１１をメイン動作における作用電極として機能させる例を示したが、第２電極１２を作用電極とする構成も可能である。また、第１電極１１と第２電極１２との間に印加する電圧も、美容器具１のメイン動作の態様や美容成分の組成に応じて適宜設定できる。例えば、美容器具１がイオン導入器として構成され、肌内部に導入したい美容成分が陽イオンである場合には、イオン導入ステップＳ８において、第１電極１１の電位を第２電極１２よりも高電位にすればよい。
【００７４】
また、上述の美容成分の塗布に先立って、他の美容効果を発揮する美容剤を使用することもできる。当該美容剤は、例えば、肌の汚れや老廃物を除去する作用を有するものや、上記美容成分とは異なる美容成分を含むものなど、種々のものを使用することができる。また、この場合には、上記美容剤は予め上記美容成分を含むものであってもよい。
【００７５】
また、上記美容剤は、磁力により吸着され得るものであってもよい。この場合には、美容器具１の吸着ヘッド部１３により、上記美容剤を容易に除去することができる。つまり、上記美容剤を塗布した使用者は、塗布した後に吸着ヘッド部１３を手から突出させて本体部１０の第１電極１１側を把持し、吸着ヘッド部１３の磁力発生面１３０側を肌に近づける。これにより、使用後の美容剤は、磁力発生面１３０の磁力によって肌上から容易に除去され、吸着ヘッド部１３に吸着される。
【００７６】
また、磁力により吸着され得る美容剤に予め電荷を帯びた美容成分等が含有されている場合には、当該美容成分は、磁力によって吸着されないものであることが好ましい。磁力によって吸着されない美容成分を用いることにより、吸着ヘッド部１３を肌に近づけた際に、肌表面に当該美容成分を残留させつつ美容剤を除去することができる。
【００７７】
また、このとき、磁力発生面１３０には、着脱可能なカバー部材を予め装着することもできる。カバー部材は、磁力発生面１３０を覆うことが可能なものであれば、形状や材質等が限定されることなく種々のものを使用することができる。これにより、吸着ヘッド部１３に吸着された使用後の美容剤は、カバー部材ごと磁力発生面１３０から剥がして廃棄することができる。
【００７８】
なお、本例の美容器具１は、付加機能として吸着ヘッド部１３を本体部１０に備えているが、吸着ヘッド部１３を有していない美容器具であっても、スイッチ操作不要による上述した優れた作用効果が得られることは言うまでもない。
【符号の説明】
【００７９】
１  美容器具
１１  第１電極
１２  第２電極
３  制御部
３０  制御用マイコン
３００  ＡＤＣ
３０１  演算部
３０２  信号出力部
３０３  ディレイタイマー
【図１】
2014033950.tif 000003
【図２】
2014033950.tif 000004
【図３】
2014033950.tif 000005
【図４】
2014033950.tif 000006
【図５】
2014033950.tif 000007
【図６】
2014033950.tif 000008
【図７】
2014033950.tif 000009
【図８】
2014033950.tif 000010